(57)【要約】    【課題】開放した状態で車体後方に大きなスペースが不要であり、しかも操作性が良好で、さらに構造が簡単でなおかつ安全性の高いバックドアを提供する。    【解決手段】上端部を車体側に枢支連結した上側ドアの下端に、下側ドアの上端を枢着し、この枢着部が車体外方に突出するように中折れして開放されるようにした自動車用中折れ式ドアであって、前記下側ドアの下端近傍両端に、それぞれ転動輪を取付けるとともに、この転動輪を係合して上下に案内するレールを、車体に形成した開口部の内側面左右側にそれぞれ設け、しかも、このレールの上端部には、前記転動輪の自然落下を防止する落下防止部を設けた。【選択図】      図１
2006056433.tif 000002
【特許請求の範囲】
【請求項１】
上端部を車体側に枢支連結した上側ドアの下端に、下側ドアの上端を枢着し、この枢着部が車体外方に突出するように中折れして開放されるようにした自動車用中折れ式ドアであって、
前記下側ドアの下端近傍両端に、それぞれ転動輪を取付けるとともに、この転動輪を係合して上下に案内するレールを、車体に形成した開口部の内側面左右側にそれぞれ設け、しかも、このレールの上端部には、前記転動輪の自然落下を防止する落下防止部を設けたことを特徴とする中折れ式ドア。
【請求項２】
前記落下防止部は、レールの端部を前記中折れ式ドアの中折れ方向と逆方向へ入り込ませて構成したことを特徴とする請求項１記載の中折れ式ドア。
【請求項３】
前記上側ドアと下側ドアとの間に開放補助手段を取付けたことを特徴とする請求項１又は２に記載の中折れ式ドア。
【請求項４】
中折れ式ドア開放時に、前記上側ドアと下側ドアとの連結部に形成される空間へ異物が進入することを防止する異物挿入防止手段を備えることを特徴とする請求項１〜３のいずれか１項に記載の中折れ式ドア。
【請求項５】
前記下側ドアの表面に、中折れ式ドアの開閉に連動して点灯・消灯する照明手段を設けたことを特徴とする請求項１〜４のいずれか１項に記載の中折れ式ドア。
【請求項６】
前記下側ドアの表面に、中折れ式ドア開放時に閉塞時よりも照度が増大する照明手段を設けたことを特徴とする請求項１〜４のいずれか１項に記載の中折れ式ドア。
【請求項７】
請求項１〜６のいずれか１項に記載の中折れ式ドアを、車体後部面に設けた開口部に取付けたことを特徴とする自動車。
【発明の詳細な説明】
【技術分野】
【０００１】
この発明は、中折れ式ドア及び同ドアを取付けた自動車に関するものである。
【背景技術】
【０００２】
従来、乗用車として主流を占めていたセダンタイプの乗用車に対し、一般家庭におけるライフスタイルの変化やその利便性から、近年ではワゴンタイプ、バンタイプ及びハッチバックタイプなど所謂ワンボックスカーの需要が増えている。
【０００３】
かかる自動車は、車両後面部に設けた開口部に、荷台部分の開閉ドア（以下「バックドア」という）を備えている。
【０００４】
一般的なワンボックスカーにおけるバックドアについて説明すると、図６に示すように、その上端両側部をルーフ１１０の後端部に枢支して上下方向に回動自在とし、バックドア１２０に設けたハンドル１３０を持って、バックドア１２０自体を後上方へ跳ね上げた状態で開放するようにしていた。図中、１００はワンボックスカー、１４０はバックドア１２０を枢支するヒンジ部、１５０はダンパーである。なお、当然ながらバックドアには、図示しないがロック機構及びこれを解除するロック解除レバーが備えられている。
【０００５】
しかし、上記構成では、バックドア１２０を開ける場合、ワンボックスカー１００の後方部分に図中Ｌで示すスペースが最低限必要となる。
【０００６】
通常、荷物の出し入れを行う場合、駐車場などにバックから駐車した状態で行うことが多いが、車両後方に壁やフェンスなどの障害Ｗがあると、通常の駐車位置ではバックドア１２０を開けることができないので、一旦、車両後方に十分な余裕のある状態で停車し、荷物の出し入れを終えて改めて後進して駐車する、といった不便を余儀なくされることがあった。
【０００７】
そこで、バックドアを上側ドアと下側ドアとに二分割して、これらをヒンジを介して連結し、中折れ時には連結部が車体後方へ張り出すように構成して、バックドア開放時において車体後方にスペースをさほど必要としない中折れ式のバックドアが提案された（例えば、特許文献１を参照。）。
【０００８】
また、かかる中折れ式のバックドアの開閉動作を安定させるために、バックドアの下側ドア下端部両側にローラを取付ける一方、車体側の開口部両側にはこのローラを転動させながら案内するレールをそれぞれ設け、下側のドアの下端が前記レールに沿って上昇するとバックドアは中折れする構成のものも提案されている（例えば、特許文献２を参照。）。
【特許文献１】特開２００２−２８３８４８号公報
【特許文献２】特開２００３−９７１４１号公報
【発明の開示】
【発明が解決しようとする課題】
【０００９】
ところが、特許文献１に開示された構造では、中折れ時に下側ドアが勝手に垂れ下がることを防止するために、下側ドアにドアロック装置を設け、これを上側ドアに設けたストライカと係合可能な構成としている。したがって、バックドアを閉める場合は前記ドアロック装置を解除しなければならず面倒であり、またバックドアの開放状態を維持するためにドアステーを設けているが、このドアステーがバックドア開放時に露出してしまい、荷物の出し入れに邪魔になっていた。なお、このドアステーはバックドアの開放を補助するダンパー構造となっていることも考えられるが、いずれにしても位置的には邪魔になるものであり、荷物の出し入れ時にぶつかったりして破損するおそれもあった。
【００１０】
また、特許文献２に開示された構造は、トラックなどの箱型荷台のバックドアに関するものであり、荷台の床下に設けたアクチュエータの伸縮ロッドの先端とバックドアの下側ドアの下端とを、ワイヤなどにより連結したものであって、前記ワイヤは適宜配置した滑車を介して上下に屈曲して掛け回されている。したがって、構成として大掛かりで複雑であり、トラックなどには採用できるとしても、乗用車タイプのワンボックスカーなどに採用するには不適であった。
【００１１】
また、特許文献１，２に開示された構造のいずれもバックドアが外側方向に中折れする以上、上側ドアと下側ドアとの間の中折れ部分には開口が生じてしまう構造となり、手や指を挟んでしまうおそれがあるにもかかわらず、その対応については一切開示されていない。
【００１２】
本発明は、上述した課題を解決することのできる中折れ式ドア及び同ドアを取付た自動車を提供することを目的としている。
【課題を解決するための手段】
【００１３】
請求項１記載の本発明では、上端部を車体側に枢支連結した上側ドアの下端に、下側ドアの上端を枢着し、この枢着部が車体外方に突出するように中折れして開放されるようにした自動車用中折れ式ドアであって、前記下側ドアの下端近傍両端に、それぞれ転動輪を取付けるとともに、この転動輪を係合して上下に案内するレールを、車体に形成した開口部の内側面左右側にそれぞれ設け、しかも、このレールの上端部には、前記転動輪の自然落下を防止する落下防止部を設けた。
【００１４】
請求項２記載の本発明では、前記落下防止部は、レールの端部を前記中折れ式ドアの中折れ方向と逆方向へ入り込ませて構成した。
【００１５】
請求項３記載の本発明では、前記上側ドアと下側ドアとの間に開放補助手段を取付けた。
【００１６】
請求項４記載の本発明では、中折れ式ドア開放時に、前記上側ドアと下側ドアとの連結部に形成される空間へ異物が進入することを防止する異物挿入防止手段を備えることとした。
【００１７】
請求項５記載の本発明では、前記下側ドアの表面に、中折れ式ドアの開閉に連動して点灯・消灯する照明手段を設けた。
【００１８】
請求項６記載の本発明では、前記下側ドアの表面に、中折れ式ドア開放時に閉塞時よりも照度が増大する照明手段を設けた。
【００１９】
請求項７記載の本発明では、上記請求項１〜７のいずれかの中折れ式ドアを、車体後部面に設けた開口部に取付けた自動車とした。
【発明の効果】
【００２０】
（１）請求項１記載の本発明は、上端部を車体側に枢支連結した上側ドアの下端に、下側ドアの上端を枢着し、この枢着部が車体外方に突出するように中折れして開放されるようにした自動車用中折れ式ドアであって、前記下側ドアの下端近傍両端に、それぞれ転動輪を取付けるとともに、この転動輪を係合して上下に案内するレールを、車体に形成した開口部の内側面左右側にそれぞれ設け、しかも、このレールの上端部には、前記転動輪の自然落下を防止する落下防止部を設けたものである。したがって、通常の一枚ドアに比べて開放時に必要な車体外方のスペースを大幅に削減できるとともに、中折れ式ドアを開けた際に、特別な補助手段などを設けることなくドアの自然落下を防止することができるので安全に使用することができる。
【００２１】
（２）請求項２記載の本発明では、前記落下防止部は、レールの端部を前記中折れ式ドアの中折れ方向と逆方向へ入り込ませて構成しているので、ドア開放時にドアの重量が転動輪に作用することになり、簡単な構造でありながらドアの自然落下を確実に防止できる。
【００２２】
（３）請求項３記載の本発明では、前記上側ドアと下側ドアとの間に開放補助手段を取付けたので、中折れ式ドア開放が容易に行え、かつ中折れ式ドア開放時に、開放補助手段自体は上側ドアと下側ドアとの間に位置するので荷物の出し入れなどに邪魔になることがない。
【００２３】
（４）請求項４記載の本発明では、中折れ式ドア開放時に、前記上側ドアと下側ドアとの連結部に形成される空間へ異物が進入することを防止する異物挿入防止手段を備えることとしたので、中折れ式ドアを閉塞する場合に、前記連結部に誤って手や指を挟んだりするおそれがなく安全となる。
【００２４】
（５）請求項５記載の本発明では、前記下側ドアの表面に、中折れ式ドアの開閉に連動して点灯・消灯する照明手段を設けたので、ドア開放時には車内や足元を照らすことができ、夜間作業時の使い勝手がきわめて良好となる。
【００２５】
（６）請求項６記載の本発明では、前記下側ドアの表面に、中折れ式ドア開放時に閉塞時よりも照度が増大する照明手段を設けたことにより、ドア開放時には車内や足元を照らすことができ、夜間作業時の使い勝手がきわめて良好となるとともに、この照明手段を、通常走行時にはナンバープレート照射用ランプとして兼用することも可能となる。
【００２６】
（７）請求項７記載の本発明では、上記請求項１〜６のいずれかの中折れ式ドアを、車体後部面に設けた開口部に取付けた自動車としたので、ドア開放時に、通常の一枚ドアに比べて車体後方のスペースがさほど要らず、通常の駐車位置でドア開閉が可能となる。しかも、簡単な構造でありながら操作性や安全性、荷物の出し入れの作業性も向上させることができる。
【発明を実施するための最良の形態】
【００２７】
本発明は、上端部を車体側に枢支連結した上側ドアの下端に、下側ドアの上端を枢着し、この枢着部が車体外方に突出するように中折れして開放されるようにした自動車用中折れ式ドアであって、前記下側ドアの下端近傍両端に、それぞれ転動輪を取付けるとともに、この転動輪を係合して上下に案内するレールを、車体に形成した開口部の内側面左右側にそれぞれ設け、しかも、このレールの上端部には、前記転動輪の自然落下を防止する落下防止部を設けたものである。
【００２８】
すなわち、車体側に設けたレールを用いて安定した操作性を得ながら、通常の一枚ドアに比べて開放時に必要な車体外方のスペースが大幅に削減できるとともに、ドア開放状態では、特別な補助手段などを設けていなくてもドアの自然落下を防止することができる。
【００２９】
前記落下防止部は、レールの端部を前記中折れ式ドアの中折れ方向と逆方向へ入り込ませて構成することができ、ドア開放時にドアの重量が転動輪に作用することになり、レールを利用した簡単な構造でありながら、ドアの自然落下を確実に防止できる。
【００３０】
この中折れ式ドアは、自動車のバックドアに好適に採用することができるもので、車体後部面に設けた開口部に取付け、荷台部などの開閉ドアとして用いるとよい。
【００３１】
かかる構成であれば、ドア開放時に、通常の一枚ドアに比べて車体後方のスペースがさほど要らず、通常の駐車位置でドア開閉が可能となる。しかも、上述したように、簡単な構造でありながら操作性や安全性、荷物の出し入れの作業性も向上させることができる。
【００３２】
また、前記上側ドアと下側ドアとの間に開放補助手段を取付けることができる。
【００３３】
例えばシリンダ式のダンパ装置などを用いることにより、中折れ式ドア開放が軽快に行え、かつ中折れ式ドア開放時に、開放補助手段自体は上側ドアと下側ドアとの間に位置するので荷物の出し入れなどに邪魔になることがなく、使い勝手を損なうこともない。
【００３４】
また、中折れ式ドア開放時に、前記上側ドアと下側ドアとの連結部に形成される空間へ異物が進入することを防止する異物挿入防止手段を備える構成とすることが好ましい。
【００３５】
すなわち、バックドアが外側方向に中折れする以上、上側ドアと下側ドアとの間の中折れ部分には開口が生じ、この開口内に空間が形成される構造となってしまうが、前記異物挿入防止手段により、手や指が中折れ部分の開口内空間に入り込まず、挟まれるおそれがないのでドアを閉める場合などの操作も安全な状態で自然に行うことができる。
【００３６】
さらに、前記下側ドアの表面に、中折れ式ドアの開閉に連動して点灯・消灯する照明手段を設けることができる。
【００３７】
このランプにより、ドア開放時には車内や足元を照らすことができるので作業灯として用いることができ、夜間における荷物の出し入れなど、夜間作業時の使い勝手がきわめて良好となる。
【００３８】
かかる照明手段は、独立して設けることもできるし、例えば、通常走行時にはナンバープレートを照射するナンバー灯として兼用することも可能である。その場合、ドア開放時に閉塞時よりも照度が増大する構成とすることが望ましい。
【００３９】
かかる構成とすることにより、通常はナンバー灯として使用しながら、ドア開放時には照度がアップした作業灯としての使用が可能となる。
【００４０】
（実施例１）
以下、本発明の中折れ式ドア及び同ドアを備える自動車の具体例を、前記中折れ式ドアをバックドアに採用したものとして、図面を参照しながら説明する。図１及び図２は本実施例に係るバックドアを有するワンボックスタイプの自動車の後部を示す側面図、図３は同自動車の背面図である。
【００４１】
図示するように、本実施例に係るバックドア２は、左右一対の上部ヒンジ３（３）を介して自動車１のルーフ１０の後端に開閉自在に枢支連結されている。
【００４２】
かかるバックドア２は、それぞれ凡そ同じ大きさの略矩形形状とした上側ドア２１と下側ドア２２とに２分割されており、両ドア２１，２２は、枢着部となる左右一対の中央ヒンジ２３（２３）を介して連結されている。そして、開放時には、このバックドア２は前記枢着部が図１において一点鎖線で示すように、また図２においては実線で示すように、車体後方（図における右側）に突出して張り出すように中折れする構成となっている。したがって、ドア開放時に車体後方に必要なスペースＬは、従来の一枚ドア（図６を参照）に比べて半減可能である。したがって、駐車場スペースなどの後方に壁などの障害Ｗがあった場合、バックから所定位置に駐車してもバックドア２を開放して荷物の出し入れなどが可能となる。
【００４３】
バックドア２を構成する本実施例に係る前記上側ドア２１は、図１に示すように、上端部が車体取付側へ緩やかに折曲した断面視略Ｌ字状に形成されており、その上端部左右を、前記上部ヒンジ３を介してルーフ１０後端に枢着している。２４は上側ドア２１に嵌め込まれたガラス窓である。
【００４４】
一方、下側ドア２２は、閉塞時に略垂直状態となる下半部２２ｂと、この下半部２２ｂから車体側へ僅かな勾配をもって上方へ伸延するとともに、その左右上端部が前記上側ドア２１の下端と前記中央ヒンジ２３（２３）とを介して連結した上半部２２ａとから構成され、前記下半部２２ｂの中央位置にはナンバープレート２５を取付けている。
【００４５】
また、上側ドア２１と下側ドア２２との間には、開放補助手段としてシリンダ式のダンパ４を取付けている。ダンパ４をかかる配置としたことで、図２に示すように、バックドア２が略く字状になる開放状態では、ダンパ４は上側ドア２１と下側ドア２２との間に位置することになり、荷物などの出し入れに邪魔になることがなく、また、物がこのダンパ４にぶつかったりするおそれもない。
【００４６】
また、下側ドア２２の前記下半部２２ｂの中央に取っ手２７を取付けるとともに、前記下半部２２ｂの左右下端部には転動輪２８（２８）を回転自在に取付けている。そして、車体後部面に形成した開口部の内側面左右側面には、前記転動輪２８（２８）を係合して案内するレール１２（１２）を設けている。
【００４７】
かかる構成により、バックドア２を開放する場合、使用者は前記取っ手２７を持って手前上方へ引き上げるだけでよく、バックドア２は中折れしながら安定した動きで上昇し、しかもこのとき大きな力を要することがない。なお、バックドア２には、図示してはいないが、閉塞時に車体側と係合するロック手段を設けており、このロック手段を解除するレバー２９が前記取っ手２７の裏側に設けられている。
【００４８】
さらに、前記レール１２（１２）の各上端には、前記転動輪２８（２８）の自然落下を防止する落下防止部５を設けている。
【００４９】
本実施例では、レール１２の上端部をバックドア２の中折れ方向と逆方向に、すなわち車体前方側へ入り込ませてこの落下防止部５を構成している。落下防止部５を構成するための入り込み量としては、転動輪２８の半径よりもわずかに大きい程度でよい。
【００５０】
かかる構成により、バックドア２の開放時においては、このバックドア２の重量が前記転動輪２８（２８）を前方（車体前方）に押し込む作用としてはたらくので自然落下が防止される。このように、本実施例においては、簡単な構造でありながらバックドア２の自然落下を確実に防止できる。
【００５１】
また、前記下側ドア２２の表側面にはナンバー灯６を設けているが、本実施例では、このナンバー灯６を、バックドア２の開放時に閉塞時よりも照度が増大するようにしている。したがって、図２に示すように、バックドア２を開放したときには、車内や足元を照らすことができ、夜間作業時の使い勝手がきわめて良好となる。
【００５２】
ところで、上側ドア２１と下側ドア２２とを連結する前記中央ヒンジ２３（２３）は、前記上側ドア２１の下端左右から内側（車体側）に伸延したステー２６（２６）の先端部に突設した軸２３ａとにより構成している、また、上側ドア２１の下端縁及び下側ドア２２の上端縁はエッジのない曲面としているので、図１及び図２に示すように、バックドア２を閉塞した状態でも上側ドア２１と下側ドア２２とが完全に密着した状態で閉じることがないので、連結部に形成される空間部Ｑに手を差し入れたりしても可及的に挟まれないようにしている。
【００５３】
以上説明してきたように、本実施例においては、中折れ式のバックドア２を車体側に設けたレール１２を用いて開閉できるようにしているので、その動作が安定しており、かつ軽快な操作性と安全性を実現している。しかも、通常の一枚ドアに比べて開放時に必要な車体外方のスペースＬを大幅に削減できるとともに、バックドア２の開放状態では、特別な補助手段などを設けていなくても当該バックドア２の自然落下を防止することができる。さらに、本実施例では、通常のナンバー灯６として利用可能で、かつバックドア２を開放すると自動的に点灯して社内や足元を照射する作業灯としても用いることのできる照明手段を具備することによって、荷物の積み降ろしなどにおける作業性が向上する。
【００５４】
（実施例２）
次に、図４を参照しながら実施例２に係るバックドア２について説明する。本実施例では、先の実施例と同一構成要素については同一符号で示し、その説明は省略する。
【００５５】
本実施例が先の実施例１と異なるのは以下の点にある。
【００５６】
すなわち、前記下側ドア２２の表面に、ナンバー灯６とは別に、バックドア２の開閉に連動して点灯・消灯する照明手段としての作業灯６０を設けたことにある。
【００５７】
本実施例では、この作業灯６０を、取っ手２７の前端部に設け、図示するように、ドア開放時に連動して点灯し、車内から車体後方にかけて照射可能となすとともに、ドアの閉塞動作に連動して消灯するようにしている。なお、この作業灯６０の変容例として、通常はバックドア２の開閉に連動して消灯するものの、運転室内や取っ手２７近傍などに別途設けたスイッチによって、ドア閉塞時であっても図中の一点鎖線Ｂで示すように照射可能とすることもできる。
【００５８】
また、本実施例では、この作業灯６０を設けた取っ手２７を、側面視で斜め上方へ伸延させた形状としている。すなわち、図４に示すように、バックドア２が開放状態にある場合、これを閉じようとするときに、後方へ突出した取っ手２７が邪魔して上側ドア２１と下側ドア２２との間の空間部Ｑに手が極めて入りにくい構造となっているので、安全性がより高まっている。
【００５９】
（実施例３）
次に、図５を参照しながら実施例３に係るバックドア２について説明する。本実施例においても、先の実施例１。２と同一構成要素については同一符号で示し、その説明は省略する。
【００６０】
本実施例が先の実施例１及び実施例２と異なるのは以下の点にある。
【００６１】
本実施例では、中折れ式のバックドア２の開放時に、上側ドア２１と下側ドア２２との連結部に形成される空間部Ｑへ異物すなわち手や指などが進入することを防止する異物挿入防止手段７を備えた構成としている。
【００６２】
異物挿入防止手段７は、ゴムや合成樹脂などの可撓性を有する素材から形成され、バックドア２を横断する長さの板状体７０からなり、上側ドア２１と下側ドア２２との連結部を覆うカバーとして機能している。
【００６３】
そして、前記板状体７０の長辺側縁部を取付基端として、これを上側ドア２１の先端部内に枢着している。また、共に曲面となっている上側ドア２１と下側ドア２２との端部が接触する部分には、ゴム製のシール７１を配設して水が車内に浸入することを防止している。なお、２１ｂは上側ドア２１の先端部に形成した基端収納空間、７２は枢軸である。
【００６４】
また、この板状体７０は、その先端側を下方へ伸延させるとともに中途で湾曲させることにより、先端が下側ドア２２の表面に当接する程度まで近接させている。
【００６５】
したがって、板状体７０が上側ドア２１と下側ドア２２との連結部のカバーとなって、バックドア２を閉塞する場合に、前記連結部に形成される空間部Ｑに手や指が入り込むことがないため、極めて安全な構造となる。しかも、板状体７０は前記枢軸７２を中心に回動するので、誤って板状体７０と下側ドア２２との間に手や指を挟んでも当該板状体７０が回動するので手や指を傷めるおそれがない。このように、本実施例では、実施例１及び２に比較して、さらに安全性を向上させた構造となっている。
【００６６】
以上、各実施例を通して、本発明に係る中折れ式ドアをワンボックスカーのバックドア２に適用したものとして説明してきたが、本発明は必ずしもバックドア２に限定されるものではなく、例えば車体側面に取付けることも可能である。
【図面の簡単な説明】
【００６７】
【図１】バックドアが閉じた状態を示す実施例１に係るワンボックスタイプの自動車後部の側面図である。
【図２】バックドアが開いた状態を示す実施例１に係るワンボックスタイプの自動車後部の側面図である。
【図３】同自動車の背面図である。
【図４】実施例２に係るワンボックスタイプの自動車後部の側面図である。
【図５】実施例３に係るワンボックスタイプの自動車後部の側面図である。
【図６】従来のワンボックスタイプの自動車後部の側面図である。
【符号の説明】
【００６８】
１  自動車
２  バックドア
５  落下防止部
４  ダンパ
６  ナンバー灯
７  異物挿入防止手段
１２  レール
２１  上側ドア
２２  下側ドア
２３  中央ヒンジ
２８  転動輪
６０  作業灯
【図１】
2006056433.tif 000003
【図２】
2006056433.tif 000004
【図３】
2006056433.tif 000005
【図４】
2006056433.tif 000006
【図５】
2006056433.tif 000007
【図６】
2006056433.tif 000008